(57)【要約】【課題】実装端子が圧電トランスの振動を阻害せず、導電性接合剤による強固な接合状態を確保することが可能であると共に、導電性接合剤の無駄をなくすことができる圧電トランスと実装端子との接続構造を提供する。【解決手段】本発明にかかる圧電トランス１と実装端子１１との接続構造は、この実装端子１１が、前記圧電トランス１の外部電極３ａ，３ｂ，４それぞれと接合される電極接合部１２と、この電極接合部１２から延出された振動緩衝部１３と、回路基板上の配線パターン１０に接合されるランド部１４と、このランド部１４から延出して立設された支柱部１５とを具備しており、前記振動緩衝部１３が連結された前記支柱部１５が前記外部電極３ａ，３ｂ，４それぞれから離間していることを特徴とする。【選択図】    図２
2004186405.tif 000002
【特許請求の範囲】
【請求項１】
回路基板上で振動可能に支持される圧電トランスと、該圧電トランスを支持する金属製の実装端子とからなり、前記圧電トランスの外部電極と前記実装端子の電極接合部とを導電性接合剤により接合する接続構造であって、
前記実装端子は、前記外部電極に接合される電極接合部と、該電極接合部から延出された振動緩衝部と、前記回路基板上の配線パターンに接合されるランド部と、該ランド部から立設された支柱部とを具備しており、かつ、前記振動緩衝部が連結された前記支柱部は前記外部電極から離間していることを特徴とする圧電トランスと実装端子との接続構造。
【請求項２】
前記支柱部は、前記ランド部の前記外部電極から遠方側に位置する端縁から立設し、前記外部電極と平行に配置されていることを特徴とする請求項１に記載した圧電トランスと実装端子との接続構造。
【請求項３】
前記支柱部は、前記ランド部の前記外部電極と直交する端縁から立設し、前記外部電極から遠方側に位置する端縁寄りの細幅とされていることを特徴とする請求項１に記載した圧電トランスと実装端子との接続構造。
【請求項４】
前記導電性接合剤は、半田であることを特徴とする請求項１〜請求項３のいずれかに記載した圧電トランスと実装端子との接続構造。
【請求項５】
前記電極接合部には、半田ゴテを当接する突起部が設けられていることを特徴とする請求項４に記載した圧電トランスと実装端子との接続構造。
【請求項６】
前記突起部は、前記外部電極から離間する方向に前記電極接合部の下端縁から延出されていることを特徴とする請求項５に記載した圧電トランスと実装端子との接続構造。
【請求項７】
前記突起部は、前記外部電極から離間する方向に前記電極接合部の上端縁から延出されていることを特徴とする請求項５に記載した圧電トランスと実装端子との接続構造。
【請求項８】
前記突起部は、前記外部電極から離間する方向に前記電極接合部の側端縁から延出されていることを特徴とする請求項５に記載した圧電トランスと実装端子との接続構造。
【請求項９】
前記外部電極は、前記電極接合部が接合される接合領域と、前記電極接合部が接合されない非接合領域とに区分されていることを特徴とする請求項４〜請求項８のいずれかに記載した圧電トランスと実装端子との接続構造。
【請求項１０】
前記接合領域と前記非接合領域との間には、電極非形成領域が設けられていることを特徴とする請求項９に記載した圧電トランスと実装端子との接続構造。
【請求項１１】
前記非接合領域は、その全体が電極非形成領域とされていることを特徴とする請求項９に記載した圧電トランスと実装端子との接続構造。
【請求項１２】
前記非接合領域は、接合防止剤が被着されていることを特徴とする請求項９に記載した圧電トランスと実装端子との接続構造。
【発明の詳細な説明】
【０００１】
【発明の属する技術分野】
本発明は圧電トランスと実装端子との接続構造にかかり、詳しくは、実装端子の支柱部及び電極接合部の構造と、圧電トランスの外部電極の構造とに関する。
【０００２】
【従来の技術】
従来から、圧電トランスは、液晶ディスプレイのバックライト用インバータ、蛍光灯の点灯用インバータ、複写機の高圧電源や各種の電圧昇圧装置などに使用される。図１３で示すように、圧電トランス１は、矩形平板状の圧電体基板からなるトランスユニット２を備えており、その一端側２ａは厚み方向に分極された駆動部である一方、その他端側２ｂは長手方向に分極された発電部であることになっている。
【０００３】
そして、駆動部であるトランスユニット２の一端側２ａの対向する側面には入力用の外部電極３ａ，３ｂがそれぞれ形成されており、発電部である他端側２ｂの端面上には出力用の外部電極４が形成されている。また、圧電トランス１は、金属製の実装端子５を介したうえ、回路基板（図示省略）上に中吊り状の振動可能な状態で搭載されている（例えば、特許文献１及び特許文献２参照）。
【０００４】
このとき、実装端子５の各々は、図１４で要部を拡大して示すように、圧電トランス１の外部電極３ａ，３ｂ，４それぞれと接合される電極接合部６と、この電極接合部６から延出された振動緩衝部７と、回路基板上の配線パターン１０に接合されるランド部８と、このランド部８から延出して立設された支柱部９とを具備しており、この支柱部９には振動緩衝部７が連結されている。なお、振動緩衝部７は、その一端が電極接合部６と連結され、かつ、その他端が支柱部９と連結されることにより圧電トランス１から回路基板へと伝わる振動を緩衝する。
【０００５】
【特許文献１】
特開平９−２４６６１９号公報
【特許文献２】
特開２００２−９４１３８号公報
【０００６】
【発明が解決しようとする課題】
ところで、前記従来の形態にかかる圧電トランス１の実装構造、つまり、圧電トランス１と実装端子５との接続構造にあっては、つぎのような不都合が生じることになっていた。
【０００７】
すなわち、圧電トランス１を回路基板上に搭載する際には、その搭載面積をでき得る限り少なくするため、実装端子５のランド部８を圧電トランス１に近づけて配置することが行われる。ところが、このような配置にすると、ランド部８から延出して立設された実装端子５の支柱部９が圧電トランス１へと近づくことになり、これらが近づき過ぎている場合、例えば、圧電トランス１の搭載位置がずれた場合などには、実装端子５の支柱部９が圧電トランス１と接触し、その振動を阻害してしまう。
【０００８】
また、従来の形態にかかる圧電トランス１と実装端子５との接続構造では、この実装端子５自体が小さいため、接合器具である半田ゴテ（図示省略）を用いたうえで導電性接合剤である半田を、圧電トランス１の外部電極３ａ，３ｂ，４と実装端子５の電極接合部６との間に充填し、強固な接合を確保することが困難である。
【０００９】
しかも、半田の充填に際し、実装端子５の電極接合部６に半田ゴテを当てつける位置によっては、半田ゴテに付着している半田が外部電極３ａ，３ｂ，４上の不必要な領域や実装端子５の振動緩衝部７にまで濡れ拡がることがあり、その結果として振動緩衝部７の弾性が低下したり、導電性接着剤の無駄を招いたりしてしまう。
【００１０】
本発明はこれらの不都合に鑑みて創案されたものであって、実装端子が圧電トランスの振動を阻害せず、導電性接合剤による強固な接合を確保することが可能であると共に、導電性接合剤の無駄をなくすことができる圧電トランスと実装端子との接続構造を提供することを目的としている。
【００１１】
【課題を解決するための手段】
請求項１記載の発明にかかる圧電トランスと実装端子との接続構造は、回路基板上で振動可能に支持される圧電トランスと、該圧電トランスを支持する金属製の実装端子とからなり、前記圧電トランスの外部電極と前記実装端子の電極接合部とが導電性接合剤により接合されたものである。そして、このとき、前記実装端子は、前記外部電極に接合される電極接合部と、該電極接合部から延出された振動緩衝部と、前記回路基板上の配線パターンに接合されるランド部と、該ランド部から立設された支柱部とを具備しており、かつ、前記振動緩衝部が連結された前記支柱部は前記外部電極から離間していることを特徴とする。
【００１２】
請求項２記載の発明にかかる圧電トランスと実装端子との接続構造は請求項１に記載したものであり、前記支柱部は、前記ランド部の前記外部電極から遠方側に位置する端縁から立設し、前記外部電極と平行に配置されていることを特徴とする。
【００１３】
請求項３記載の発明にかかる圧電トランスと実装端子との接続構造は請求項１に記載したものであって、前記支柱部は、前記ランド部の前記外部電極と直交する端縁から立設し、前記外部電極から遠方側に位置する端縁寄りの細幅とされていることを特徴とする。
【００１４】
これらの発明にかかる構成であれば、圧電トランスの搭載面積を少なくするため、実装端子のランド部を圧電トランスに近づけて配置した場合でも、ランド部から延出して立設された支柱部が圧電トランスに近づき過ぎることはなくなる。従って、実装端子の支柱部が圧電トランスと接触し、その振動を阻害することは起こらない。
【００１５】
請求項４記載の発明にかかる圧電トランスと実装端子との接続構造は請求項１〜請求項３のいずれかに記載したものであり、前記導電性接合剤は半田であることを特徴とする。
【００１６】
請求項５記載の発明にかかる圧電トランスと実装端子との接続構造は請求項４に記載したものであり、前記電極接合部には、半田ゴテを当接する突起部が設けられていることを特徴とする。
【００１７】
請求項６記載の発明にかかる圧電トランスと実装端子との接続構造は請求項５に記載したものであり、前記突起部は、前記外部電極から離間する方向に前記電極接合部の下端縁から延出されていることを特徴とする。
【００１８】
請求項７記載の発明にかかる圧電トランスと実装端子との接続構造は請求項５に記載したものであり、前記突起部は、前記外部電極から離間する方向に前記電極接合部の上端縁から延出されていることを特徴とする。
【００１９】
請求項８記載の発明にかかる圧電トランスと実装端子との接続構造は請求項５に記載したものであり、前記突起部は、前記外部電極から離間する方向に前記電極接合部の側端縁から延出されていることを特徴とする。
【００２０】
請求項５〜請求項８にかかる構成であれば、実装端子の電極接合部に設けられた突起部を利用して半田ゴテを安定的に支持することが可能となるため、圧電トランスの外部電極と実装端子の電極接合部との間に導電性接合剤である半田を充填しやすくなり、その結果として強固な接合状態を確保することが容易となる。
【００２１】
請求項９記載の発明にかかる圧電トランスと実装端子との接続構造は請求項４〜請求項８のいずれかに記載したものであり、前記外部電極は、前記電極接合部が接合される接合領域と、前記電極接合部が接合されない非接合領域とに区分されていることを特徴とする。
【００２２】
請求項１０記載の発明にかかる圧電トランスと実装端子との接続構造は請求項９に記載したものであり、前記接合領域と前記非接合領域との間には、電極非形成領域が設けられていることを特徴とする。
【００２３】
請求項１１記載の発明にかかる圧電トランスと実装端子との接続構造は請求項９に記載したものであり、前記非接合領域は、その全体が電極非形成領域とされていることを特徴とする。
【００２４】
請求項１２記載の発明にかかる圧電トランスと実装端子との接続構造は請求項９に記載したものであり、前記非接合領域は、接合防止剤が被着されていることを特徴とする。
【００２５】
請求項９〜請求項１２にかかる構成では、圧電トランスの外部電極を実装端子の電極接合部が接合される接合領域と接合されない非接合領域とに区分し、電極非形成領域を設けたり、非接合領域の全体を電極非形成領域としたりすることによって接合領域と非接合領域とが直接的には連続しないようにしているので、導電性接合剤が非接合領域にまで拡がってしまうことは起こり得ない。
【００２６】
【発明の実施の形態】
以下、本発明の実施の形態を図面に基づいて説明する。
【００２７】
（実施の形態１）
図１は実施の形態１にかかる圧電トランスと実装端子との接続構造を示す外観斜視図であり、図２はその要部のみを拡大して示す外観斜視図である。そして、図３は実施の形態１の変形例にかかる接続構造を示す外観斜視図であり、図４はその要部のみを拡大して示す外観斜視図である。なお、図１及び図２中の符号１１と図３及び図４中の符号１７とは実装端子を示しており、これらの接続構造において、図１３及び図１４と互いに同一もしくは相当する部品、部分には同一符号を付すこととし、ここでの詳しい説明は省略する。
【００２８】
実施の形態１にかかる圧電トランス１は、図１で示すように、従来の形態と同様、矩形平板状の圧電体基板からなるトランスユニット２を備えており、駆動部となるトランスユニット２の一端側２ａの対向しあう側面上には入力用の外部電極３ａ，３ｂがそれぞれ形成されている。そして、発電部となるトランスユニット２の他端側２ｂの端面上には、出力用の外部電極４が形成されている。また、この圧電トランス１は、金属製の実装端子１１を介して中吊り状の振動可能な状態で支持されており、回路基板（図示省略）上に搭載されることになっている。なお、実装端子１１は、金属板をエッチングや打ち抜きで加工した後、曲げ加工することにより作製される。
【００２９】
すなわち、これら実装端子１１の各々は、図２で要部を拡大して示すように、圧電トランス１の外部電極３ａ，３ｂ，４それぞれに接合される電極接合部１２と、この電極接合部１２から延出された振動緩衝部１３と、回路基板上の配線パターン１０に接合されるランド部１４と、このランド部１４から延出して立設された支柱部１５とを具備しており、この支柱部１５には振動緩衝部１３が連結されている。そして、外部電極３ａ，３ｂ，４及び電極接合部１２と、配線パターン１０及びランド部１４とは、導電性接合剤である接着剤や半田などを使用したうえで接合されている。
【００３０】
また、この際、実装端子１１の支柱部１５は、ランド部１４における圧電トランス１の外部電極３ａ，３ｂ，４から遠く離間した側、つまり、遠方側の位置にある端縁から延出されたうえ、外部電極３ａ，３ｂ，４の各々とは平行に配置されている。そこで、圧電トランス１の搭載面積を少なくするため、実装端子５のランド部１４を圧電トランス１に近づけて配置しても、実装端子１１の支柱部１５自体は圧電トランス１の外部電極３ａ，３ｂ，４から遠く離間している。従って、圧電トランス１の搭載位置が多少ずれても、各実装端子１１の支柱部１５が圧電トランス１と接触し、その振動を阻害することは起こらない。
【００３１】
つぎに、実施の形態１にかかる接続構造の変形例を説明する。実施の形態１では、実装端子１１の支柱部１５がランド部１４の外部電極３ａ，３ｂ，４とは遠方側の位置にある端縁から延出されたうえ、外部電極３ａ，３ｂ，４とは平行に配置されている。しかしながら、変形例にかかる圧電トランス１と実装端子１７との接続構造では、図３及び図４で示すように、この実装端子１７の支柱部１８がランド部１４の外部電極３ａ，３ｂ，４とは直交する向きの端縁から延出されている。
【００３２】
さらに、この際における実装端子１７の支柱部１８は、外部電極３ａ，３ｂ，４から遠方側の位置にある端縁寄りの細幅とされている。このような構成の実装端子１７である場合には、圧電トランス１の搭載面積を少なくするため、ランド部１４を圧電トランス１に近づけて配置しても、実装端子１７の支柱部１８自体は圧電トランス１の外部電極３ａ，３ｂ，４から離間していることになる。従って、圧電トランス１の搭載位置がずれることがあっても、各実装端子１７の支柱部１８が圧電トランス１と接触したり、その振動を阻害したりすることはやはり起こらない。
【００３３】
（実施の形態２）
図５は実施の形態２にかかる圧電トランスと実装端子との接続構造の要部のみを拡大して示す外観斜視図、図６は実施の形態２の第１の変形例にかかる接続構造の要部のみを拡大して示す外観斜視図であり、図７は実施の形態２の第２の変形例にかかる接続構造の要部のみを拡大して示す外観斜視図である。実施の形態２及びその変形例にかかる接続構造の基本的な構成は、半田ゴテが当接する突起部を設けている点を除くと、実施の形態１及びその変形例にかかる接続構造と異ならない。
【００３４】
そのため、図５〜図７において、図１〜図４と互いに同一もしくは相当する部品、部分には同一符号を付し、ここでの詳しい説明は省略する。なお、図５中の符号２１と、図６中の符号２４と、図７中の符号２５とのそれぞれは、共に実装端子を示している。
【００３５】
実施の形態２にかかる圧電トランス１は、実施の形態１と同様、矩形平板状の圧電体基板からなるトランスユニット２を備えており、その駆動部となるトランスユニット２の一端側２ａの対向しあった側面上には入力用の外部電極３ａ，３ｂがそれぞれ形成される一方、その発電部となるトランスユニット２の他端側２ｂの端面上には出力用の外部電極４が形成されている。そして、この圧電トランス１は、図５で示すような金属製の実装端子２１を介して振動可能に支持されたうえ、回路基板（図示省略）上に搭載されている。
【００３６】
また、これら実装端子２１のそれぞれは、圧電トランス１の外部電極３ａ，３ｂ，４それぞれに接合される電極接合部１２と、この電極接合部１２から延出された振動緩衝部１３と、回路基板上の配線パターン１０に接合されるランド部１４と、このランド部１４から延出して立設されたうえで振動緩衝部１３が連結された支柱部１５とを具備している。さらに、このとき、電極接合部１２には、上方から挿入されてくる半田ゴテ（図示省略）を当接する突起部２２が設けられている。
【００３７】
そして、この突起部２２は、圧電トランス１の外部電極３ａ，３ｂ，４から遠ざかりながら離間する方向、つまり、外部電極３ａ，３ｂ，４とは垂直となる方向へと向かって電極接合部１２の下端縁から延出されている。すなわち、実施の形態２にかかる実装端子２では、その電極接合部１２に対して半田ゴテを当接するための突起部２２が設けられている。
【００３８】
ところで、圧電トランス１の外部電極３ａ，３ｂ，４と、実装端子２１の電極接合部１２とは、導電性接合剤である半田によって接合されるが、本実施の形態にかかる構成では、使用される半田ゴテが、電極接合部１２の下端縁から延出された突起部２２を利用し、安定的に位置決めしたうえで支持される。そこで、半田ゴテによって実装端子２１の電極接合部１２を加熱することが可能となり、外部電極３ａ，３ｂ，４及び電極接合部１２間に糸状の半田などを供給して充填することが容易となる。
【００３９】
つぎに、実施の形態２にかかる接続構造の第１及び第２の変形例を説明する。すなわち、実施の形態２では、実装端子２１が具備している電極接合部１２の下端縁から突起部２２を延出するとしているが、図６で示す第１の変形例にかかる実装端子２４のように、圧電トランス１の外部電極３ａ，３ｂ，４から離間する方向へと向かって実装端子２１の電極接合部１２の上端縁から突起部２２が延出された構成であってもよい。このような構成であっても、実施の形態２と同様の作用が奏される。
【００４０】
また、図７で示す第２の変形例にかかる実装端子２５のように、突起部２２が実装端子２１の電極接合部１２の側端縁から延出されていてもよく、この際における突起部２２も、圧電トランス１の外部電極３ａ，３ｂ，４から遠ざかりながら離間する方向へと向かって延出されている。このような変形例にかかる接合構造であれば、強固な接合状態を確保することが可能となるばかりか、半田ゴテに付着している半田が実装端子２５の振動緩衝部１３にまで濡れ拡がることを防止し得る。その結果、振動緩衝部１３の弾性が低下することを防止し、その弾性を維持することが可能になる。
【００４１】
（実施の形態３）
図８は実施の形態３にかかる圧電トランスと実装端子との接続構造の要部のみを拡大して示す外観斜視図、図９はその第１の変形例にかかる接続構造の要部のみを拡大して示す外観斜視図であり、図１０はその第２の変形例にかかる接続構造の要部のみを拡大して示す外観斜視図である。そして、図１１は実施の形態３の第３の変形例にかかる接続構造の要部のみを拡大して示す外観斜視図であり、図１２はその第４の変形例にかかる接続構造の要部のみを拡大して示す外観斜視図である。
【００４２】
ところで、実施の形態３にかかる圧電トランスと実装端子との接続構造は、圧電トランスの外部電極の構成を除き、実施の形態１と基本的かつ全体的に異ならない。従って、図８〜図１２において、図１〜図７と互いに同一もしくは相当する部品、部分には同一符号を付し、ここでの詳しい説明は省略する。なお、図８〜図１２中の符号３１は圧電トランスの外部電極における接合領域、また、符号３２は非接合領域をそれぞれ示している。
【００４３】
実施の形態３にかかる圧電トランス１は、図１及び図２で示した実施の形態１と同じように、矩形平板状の圧電体基板からなるトランスユニット２を備えており、その駆動部となるトランスユニット２の一端側２ａの対向しあった側面上には入力用の外部電極３ａ，３ｂが、また、その発電部となるトランスユニット２の他端側２ｂの端面上には出力用の外部電極４がそれぞれ形成されている。そして、この圧電トランス１は、金属製の実装端子１１を介して振動可能に支持されたうえ、回路基板（図示省略）上に搭載されることになっている。
【００４４】
これら実装端子１１のそれぞれは、圧電トランス１の外部電極３ａ，３ｂ，４の各々に接合される電極接合部１２と、この電極接合部１２から延出された振動緩衝部１３と、回路基板上の配線パターン１０に接合されるランド部１４と、このランド部１４から延出して立設されたうえで振動緩衝部１３が連結された支柱部１５とを具備している。さらに、このとき、圧電トランス１の外部電極３ａ，３ｂ，４それぞれは、実装端子１１の電極接合部１２が接合される接合領域３１と、電極接合部１２が接合されない非接合領域３２とに区分されており、両領域３１，３２同士間には、これらの領域３１，３２を不連続とする電極非形成領域３３、つまり、トランスユニット２の素面が露出したままの電極非形成領域３３が設けられている。
【００４５】
すなわち、本実施の形態にあっては、圧電トランス１の外部電極３ａ，３ｂ，４において、実装端子１１の振動緩衝部１３が垂直に投影される部分を横切るようにしたうえで電極非形成領域３３が設けられており、この電極非形成領域３３によって外部電極３ａ，３ｂ，４のそれぞれは接合領域３１と非接合領域３２とに区分されている。このような接合構造であれば、半田ゴテに付着している半田が実装端子１１の振動緩衝部１３に沿って外部電極３ａ，３ｂ，４それぞれの非接合領域３２へと濡れ拡がることを防止し、振動緩衝部１３の弾性が低下するのを防止することが可能となる。なお、接合領域３１と非接合領域３２とは、圧電トランス１の分極用としても使用されることになっている。
【００４６】
ところで、実施の形態２にかかる接続構造では、電極非形成領域３３によって圧電トランス１の外部電極３ａ，３ｂ，４それぞれを接合領域３１と非接合領域３２との２つに分離している。しかしながら、このような構成に限られることはなく、図９で示す第１の変形例のように、外部電極３ａ，３ｂ，４のそれぞれを電極非形成領域３３が完全に横切った構成とはせず、接合領域３１と非接合領域３２とが部分的に連続した構成としてもよい。また、図１０で示す第２の変形例にかかる接続構造のように、接合領域３１を実装端子１１の電極接合部１２と対応する範囲のみに限定しておくことも可能である。
【００４７】
さらに、図１１で示す第３の変形例にかかる接合構造のように、圧電トランス１の外部電極３ａ，３ｂ，４における非接合領域３２の全体を電極非形成領域３４、つまり、トランスユニット２の素面が露出したままの電極非形成領域３４としておいてもよい。さらにまた、図１２で示す第４の変形例にかかる接合構造のように、外部電極３ａ，３ｂ，４における非接合領域３２の表面上に対し、半田など導電性接合剤が付着するのを防止する接合防止剤３５を被着して形成した構成としておくことも可能である。このような構成であっても、実施の形態３と同様の作用が奏される。
【００４８】
【発明の効果】
本発明にかかる接合構造であれば、回路基板上における圧電トランスの搭載面積をでき得る限り少なくするため、実装端子のランド部を圧電トランスに近づけて配置した場合であっても、ランド部から延出して立設された支柱部が圧電トランスに近づき過ぎることはなくなる。従って、圧電トランスの搭載位置がずれた場合などにあっても、実装端子の支柱部が圧電トランスと接触し、その振動を阻害することは起こらなくなるという効果が得られる。
【００４９】
また、本発明にかかる接合構造にあっては、実装端子の電極接合部に設けられた突起部を利用して半田ゴテを安定的に支持することが可能となる。そのため、実装端子自体は小さなものであるにも拘わらず、圧電トランスの外部電極と実装端子の電極接合部との間に導電性接合剤である半田を充填しやすくなり、その結果として強固な接合状態を確保することが容易になるという効果が得られる。
【００５０】
さらに、本発明にかかる接合構造では、圧電トランスの外部電極を実装端子の電極接合部が接合される接合領域と接合されない非接合領域とに区分し、かつ、電極非形成領域を設けたり、非接合領域の全体を電極非形成領域としたりすることによって接合領域と非接合領域とが直接的には連続しないようにしている。そこで、導電性接合剤が外部電極上の接合に不必要な領域や実装端子の振動緩衝部にまで濡れ拡がってしまうことはなくなり、その結果として振動緩衝部の弾性が低下することを防止し、かつ、導電性接合剤の無駄をなくすことができるという効果が得られる。
【図面の簡単な説明】
【図１】実施の形態１にかかる圧電トランスと実装端子との接続構造を示す外観斜視図である。
【図２】実施の形態１にかかる接続構造の要部のみを拡大して示す外観斜視図である。
【図３】実施の形態１の変形例にかかる接続構造を示す外観斜視図である。
【図４】実施の形態１の変形例にかかる接続構造の要部のみを拡大して示す外観斜視図である。
【図５】実施の形態２にかかる圧電トランスと実装端子との接続構造の要部のみを拡大して示す外観斜視図である。
【図６】実施の形態２の第１の変形例にかかる接続構造の要部のみを拡大して示す外観斜視図である。
【図７】実施の形態２の第２の変形例にかかる接続構造の要部のみを拡大して示す外観斜視図である。
【図８】実施の形態３にかかる圧電トランスと実装端子との接続構造の要部のみを拡大して示す外観斜視図である。
【図９】実施の形態３の第１の変形例にかかる接続構造の要部のみを拡大して示す外観斜視図である。
【図１０】実施の形態３の第２の変形例にかかる接続構造の要部のみを拡大して示す外観斜視図である。
【図１１】実施の形態３の第３の変形例にかかる接続構造の要部のみを拡大して示す外観斜視図である。
【図１２】実施の形態３の第４の変形例にかかる接続構造の要部のみを拡大して示す外観斜視図である。
【図１３】従来の形態にかかる圧電トランスと実装端子との接続構造を示す外観斜視図である。
【図１４】従来の形態にかかる接続構造の要部のみを拡大して示す外観斜視図である。
【符号の説明】
１    圧電トランス
３ａ  外部電極
３ｂ  外部電極
４    外部電極
１０    配線パターン
１１    実装端子
１２    電極接合部
１３    振動緩衝部
１４    ランド部
１５    支柱部
２２    突起部
【図１】
2004186405.tif 000003
【図２】
2004186405.tif 000004
【図３】
2004186405.tif 000005
【図４】
2004186405.tif 000006
【図５】
2004186405.tif 000007
【図６】
2004186405.tif 000008
【図７】
2004186405.tif 000009
【図８】
2004186405.tif 000010
【図９】
2004186405.tif 000011
【図１０】
2004186405.tif 000012
【図１１】
2004186405.tif 000013
【図１２】
2004186405.tif 000014
【図１３】
2004186405.tif 000015
【図１４】
2004186405.tif 000016